【手続補正書】
【提出日】平成28年12月16日(2016.12.16)
【手続補正１】
【補正対象書類名】明細書
【補正対象項目名】０１１１
【補正方法】変更
【補正の内容】
【０１１１】
以上、本発明による好ましい実施例を参照して本発明を説明したが、本発明は、上記実施例に限定されるものではなく、様々な形態の修正、変形実施が可能であることは、当業者に自明であろう。
［付記１］
フィンガープリントに基づく広告検出システムであって、
放送コンテンツをリアルタイムで保存するコンテンツストリーム保存部と、
前記コンテンツストリーム保存部によって保存された放送コンテンツの中でリファレンス区間とテスト区間を選択する区間選択部と、
前記区間選択部によって選択されたリファレンス区間とテスト区間に対して少なくとも１つ以上の方式によりフィンガープリントを抽出するフィンガープリント抽出部と、
前記フィンガープリント抽出部で抽出されたテスト区間に対するフィンガープリントとリファレンス区間に対するフィンガープリントとを比較してマッチングを行うフィンガープリントマッチング部と、
前記フィンガープリントマッチング部で行われたマッチング結果に基づいて、テスト区間から広告セグメントを決める広告区間決定部と、
前記広告区間決定部によって決定された広告セグメントに対するセグメント情報を広告データベースに保存し、広告データベースを管理する広告データベース管理部と、
前記区間選択部で選択されたリファレンス区間とテスト区間を変更する区間更新部と、
を含むフィンガープリントに基づく広告検出システム。
［付記２］
前記区間選択部は、前記コンテンツストリーム保存部によって保存された放送コンテンツの中で最も最近に保存された始点から所定時間区間をテスト区間に選択し、前記テスト区間の終点から所定時間区間をリファレンス区間に選択することを特徴とする付記１に記載のフィンガープリントに基づく広告検出システム。
［付記３］
前記テスト区間は、前記リファレンス区間よりも時間の長さが短いことを特徴とする付記２に記載のフィンガープリントに基づく広告検出システム。
［付記４］
前記フィンガープリント抽出部は、
前記リファレンス区間とテスト区間をそれぞれ予め設定された時間の長さだけの単位区間に分割して各単位区間に対してフィンガープリント抽出方式のいずれかの方式によりフィンガープリントを抽出し、
前記フィンガープリントマッチング部は、
前記テスト区間のそれぞれの単位区間に対して抽出されたフィンガープリントとリファレンス区間のすべての単位区間に対して抽出されたフィンガープリントを比較する過程をテスト区間のすべての単位区間に対して行うことにより、マッチングを行うこと、
を特徴とする付記１に記載のフィンガープリントに基づく広告検出システム。
［付記５］
前記単位区間の始点は、時間の長さＳだけ間隔を持つことを特徴とする付記４に記載のフィンガープリントに基づく広告検出システム。
［付記６］
前記単位区間の始点との間の時間の長さＳは、前記単位区間の時間長さよりも短いことを特徴とする付記５に記載のフィンガープリントに基づく広告検出システム。
［付記７］
前記広告区間決定部は、
前記フィンガープリントマッチング部のマッチング遂行結果によってリファレンス区間の単位区間とマッチングされるテスト区間の連続する単位区間を広告セグメントに決めることを特徴とする付記４に記載のフィンガープリントに基づく広告検出システム。
［付記８］
前記フィンガープリント抽出部は、
前記広告セグメントとリファレンス区間のうち前記広告セグメントに相応する区間をそれぞれ予め設定された時間の長さだけの単位区間に分割し、各単位区間に対して前記リファレンス区間とテスト区間に対してフィンガープリントを抽出した方式以外の少なくとも一つ以上の他の方式によってフィンガープリントを抽出し、
前記フィンガープリントマッチング部は、
前記広告セグメントのそれぞれの単位区間に対して抽出されたフィンガープリントと前記リファレンス区間のうち、前記広告セグメントに相応するすべての単位区間に対して抽出されたフィンガープリントを比較する過程を広告セグメントのすべての単位区間に対して行うことにより、マッチングを行うこと、
を特徴とする付記７に記載のフィンガープリントに基づく広告検出システム。
［付記９］
前記広告区間決定部は、
前記フィンガープリントマッチング部のマッチング遂行結果により前記リファレンス区間のうち、前記広告セグメントに相応する単位区間とマッチングされる広告セグメントの連続する単位区間を広告セグメントに最終的に決めることを特徴とする付記８に記載のフィンガープリントに基づく広告検出システム。
［付記１０］
前記広告区間決定部は、
前記広告セグメントと広告データベースに既に登録されている広告セグメントのフィンガープリントを比較して広告セグメントに最終的に決めることを特徴とする付記７に記載のフィンガープリントに基づく広告検出システム。
［付記１１］
前記フィンガープリントは、前記リファレンス区間とテスト区間に対してフィンガープリントを抽出した方式以外の少なくとも一つ以上の他の方式によるフィンガープリントであることを特徴とする付記１０に記載のフィンガープリントに基づく広告検出システム。
［付記１２］
前記広告データベース管理部は、
前記広告区間決定部によって決定された広告セグメントに対する少なくとも一つ以上のフィンガープリントと広告セグメントの時間情報をセグメント情報として広告データベースに保存することを特徴とする付記１に記載のフィンガープリントに基づく広告検出システム。
［付記１３］
前記区間更新部は、
前記テスト区間から決定された広告セグメントの終点までをリファレンス区間に含ませてリファレンス区間を変更することを特徴とする付記１に記載のフィンガープリントに基づく広告検出システム。
［付記１４］
前記広告セグメントが複数である場合、最後の広告セグメントの終点までをリファレンス区間に含ませてリファレンス区間を変更することを特徴とする付記１３に記載のフィンガープリントに基づく広告検出システム。
［付記１５］
前記リファレンス区間に新規に含まれる長さだけリファレンス区間の始点の位置を変更してリファレンス区間の全体の長さが一定になるようにすることを特徴とする付記１３または付記１４に記載のフィンガープリントに基づく広告検出システム。
［付記１６］
前記区間更新部は、
リファレンス区間の始点の位置が変更された長さだけテスト区間の長さを延長させることを特徴とする付記１５に記載のフィンガープリントに基づく広告検出システム。
［付記１７］
前記区間更新部は、
前記広告区間決定部で決定された広告セグメントに相応するリファレンス区間の始点の時間情報を広告セグメントヒストリーに保存し、一定時間の経過時ごとに予め設定された広告セグメントヒストリーの探索区間を確認して前記探索区間に含まれた時間情報のうち、最小値の以前の始点に該当する区間をリファレンス区間から除去することを特徴とする付記１に記載のフィンガープリントに基づく広告検出システム。
［付記１８］
前記広告データベース管理部は、広告データベースに保存される広告セグメントの中で２つの広告セグメントを選択し、選択された広告セグメントのフィンガープリントを比較して同一区間を検出した後、前記選択された広告セグメントの同一区間と残りの区間を分割することにより、新規広告セグメント形成過程を行うことを特徴とする付記１に記載のフィンガープリントに基づく広告検出システム。
［付記１９］
前記分割以前の広告セグメントは、広告データベースから除去されることを特徴とする付記１８に記載のフィンガープリントに基づく広告検出システム。
［付記２０］
前記新規広告セグメントの形成過程は、任意の２つの広告セグメントに対して予め設定された回数Ｎだけ繰り返すことを特徴とする付記１８に記載のフィンガープリントに基づく広告検出システム。
［付記２１］
前記新規広告セグメントの形成過程は、時間の長さが一定時間の長さＫ以上である２つのセグメントに対して行われることを特徴とする付記１８に記載のフィンガープリントに基づく広告検出システム。
［付記２２］
前記新規広告セグメントの形成過程は、広告データベースに含まれたすべての広告セグメントの中で互いに同一区間を有する広告セグメントが存在しないときまでに繰り返し行われることを特徴とする付記１８に記載のフィンガープリントに基づく広告検出システム。
［付記２３］
前記広告データベース管理部は、前記形成された新規広告セグメントに対するフィンガープリントと時間情報を更新することを特徴とする付記１８に記載のフィンガープリントに基づく広告検出システム。
［付記２４］
フィンガープリントに基づく広告検出方法であって、
放送コンテンツをリアルタイムで保存する第１の段階と、
前記保存された放送コンテンツの中でリファレンス区間とテスト区間を選択する第２の段階と、
前記選択されたリファレンス区間とテスト区間に対して少なくとも１つ以上の方式によりフィンガープリントを抽出する第３の段階と、
前記抽出されたテスト区間に対するフィンガープリントとリファレンス区間に対するフィンガープリントを比較してマッチングを行う第４の段階と、
前記マッチング遂行結果に基づいてテスト区間から広告セグメントを決める第５の段階と、
前記決定された広告セグメントに対するセグメント情報を広告データベースに保存する第６の段階と、
前記リファレンス区間とテスト区間を変更する第７の段階と、
を含むフィンガープリントに基づく広告検出方法。
【手続補正２】
【補正対象書類名】特許請求の範囲
【補正対象項目名】全文
【補正方法】変更
【補正の内容】
【特許請求の範囲】
【請求項１】
フィンガープリントに基づく広告検出システムであって、
時間経過に応じた一連のコンテンツを規定する放送コンテンツをリアルタイムで保存するコンテンツストリーム保存部と、
前記コンテンツストリーム保存部によって保存された放送コンテンツの中で、前記一連のコンテンツにおいて互いの関係で規定される時間区間であるリファレンス区間とテスト区間を選択する区間選択部と、
前記区間選択部によって選択されたリファレンス区間とテスト区間に対して少なくとも１つ以上の方式によりフィンガープリントを抽出するフィンガープリント抽出部と、
前記フィンガープリント抽出部で抽出されたテスト区間に対するフィンガープリントとリファレンス区間に対するフィンガープリントとを比較してマッチングを行うフィンガープリントマッチング部と、
前記フィンガープリントマッチング部で行われたマッチング結果に基づいて、テスト区間から広告セグメントを決める広告区間決定部と、
前記広告区間決定部によって決定された広告セグメントに対するセグメント情報を広告データベースに保存し、広告データベースを管理する広告データベース管理部と、
リファレンス区間とテスト区間を変更する区間更新部と、
を含むフィンガープリントに基づく広告検出システム。
【請求項２】
前記区間選択部は、最も最近に保存された始点から所定時間区間をテスト区間に選択し、前記テスト区間の終点から所定時間区間をリファレンス区間に選択し、
前記テスト区間は、前記リファレンス区間よりも時間の長さが短い、
ことを特徴とする請求項１に記載のフィンガープリントに基づく広告検出システム。
【請求項３】
フィンガープリントに基づく広告検出方法であって、
時間経過に応じた一連のコンテンツを規定する放送コンテンツをリアルタイムで保存する第１の段階と、
前記保存された放送コンテンツの中で、前記一連のコンテンツにおいて互いの関係で規定される時間区間であるリファレンス区間とテスト区間を選択する第２の段階と、
前記選択されたリファレンス区間と前記選択されたテスト区間のそれぞれに対して少なくとも１つ以上の方式によりフィンガープリントを抽出する第３の段階と、
前記抽出されたテスト区間に対するフィンガープリントと前記抽出されたリファレンス区間に対するフィンガープリントを比較してマッチングを行う第４の段階と、
前記マッチング遂行結果に基づいて前記テスト区間から広告セグメントを決める第５の段階と、
前記決定された広告セグメントに対するセグメント情報を広告データベースに保存し、前記広告データベースを管理する第６の段階と、
前記リファレンス区間と前記テスト区間を変更する第７の段階と、
を含むフィンガープリントに基づく広告検出方法。
【請求項４】
前記第２の段階の前記保存された放送コンテンツの中で、リファレンス区間とテスト区間との選択に、最も最近に保存された始点から所定時間区間をテスト区間に選択し、前記テスト区間の終点から所定時間区間をリファレンス区間に選択すること含むことを特徴とする請求項３に記載のフィンガープリントに基づく広告検出方法。
【請求項５】
前記選択されたリファレンス区間と前記選択されたテスト区間のそれぞれに対して少なくとも１つ以上の方式によりフィンガープリントを抽出する前記第３の段階に、
前記リファレンス区間と前記テスト区間をそれぞれ予め設定された時間の長さだけの単位区間に分割して、各単位区間に対してフィンガープリント抽出方式によりフィンガープリントを抽出することを含み、
前記第４の段階の前記抽出されたテスト区間に対するフィンガープリントと前記抽出されたリファレンス区間に対するフィンガープリントの比較に、
前記テスト区間のそれぞれの単位区間に対して、前記テスト区間の単位区間に対して抽出されたフィンガープリントと前記リファレンス区間のすべての単位区間に対して抽出されたフィンガープリントを比較することを含む、
ことを特徴とする請求項３に記載のフィンガープリントに基づく広告検出方法。
【請求項６】
それぞれの前記単位区間の始点は、互いに第１の時間の長さだけ離れ、
それぞれの前記単位区間の始点の間の前記第１の時間の長さは、それぞれの前記単位区間の予め設定された時間の長さよりも短い、
ことを特徴とする請求項５に記載のフィンガープリントに基づく広告検出方法。
【請求項７】
前記マッチング遂行結果に基づいてテスト区間から広告セグメントを決める前記第５の段階に、
リファレンス区間の単位区間とマッチングされる前記テスト区間の連続する単位区間を広告セグメントに決めることを含むことを特徴とする請求項５に記載のフィンガープリントに基づく広告検出方法。
【請求項８】
各広告セグメントに対して、（ａ）前記広告セグメントと前記リファレンス区間のうち前記広告セグメントに相応する区間をそれぞれ予め設定された時間の長さだけの単位区間に分割し、各単位区間に対してフィンガープリントを抽出し、（ｂ）前記広告セグメントのそれぞれの単位区間に対して、前記それぞれの単位区間に対して抽出されたフィンガープリントと、前記リファレンス区間のうち、前記広告セグメントに相応するすべての単位区間に対して抽出されたフィンガープリントを比較し、（ｃ）前記リファレンス区間のうち、前記広告セグメントに対応するそれぞれの単位区間とマッチングする前記広告セグメントの連続するそれぞれの単位区間を前記広告セグメントに決定する、
ことをさらに含む請求項７に記載のフィンガープリントに基づく広告検出方法。
【請求項９】
前記第６の段階の前記決定された広告セグメントに対するセグメント情報の広告データベースへの保存に、
（ｉ）前記決定された広告セグメントに対する少なくとも１つ以上のフィンガープリントと（ｉｉ）前記広告セグメントの時間情報を広告データベースに保存することを含むことを特徴とする請求項３に記載のフィンガープリントに基づく広告検出方法。
【請求項１０】
前記リファレンス区間と前記テスト区間を変更する前記第７の段階に、
前記テスト区間から決定されたそれぞれの広告セグメントの終点までを前記リファレンス区間に含ませて前記リファレンス区間を変更し、
広告セグメントが複数である場合、最後の広告セグメントの終点までを前記リファレンス区間に含ませて前記リファレンス区間を変更する、
ことを含むことを特徴とする請求項３に記載のフィンガープリントに基づく広告検出方法。
【請求項１１】
前記リファレンス区間に新規に含まれる長さだけ前記リファレンス区間の始点の位置を変更して前記リファレンス区間の全体の長さが一定になるようにすることを特徴とする請求項１０に記載のフィンガープリントに基づく広告検出方法。
【請求項１２】
前記決定された広告セグメントに対するセグメント情報を広告データベースに保存し、前記広告データベースを管理する前記第６の段階に、
前記決定された広告セグメントに相応するリファレンス区間の始点の時間情報を広告セグメントヒストリーに保存し、
一定時間の経過時ごとに前記広告セグメントヒストリーの予め設定された探索区間を確認して、前記探索区間に含まれた時間情報のうち、最小値の以前の始点に該当する区間を前記リファレンス区間から除去する、
ことを含むことを特徴とする請求項３に記載のフィンガープリントに基づく広告検出方法。
【請求項１３】
前記決定された広告セグメントに対するセグメント情報を広告データベースに保存し、前記広告データベースを管理する前記第６の段階に、
前記広告データベースに保存された広告セグメントの中で２つの広告セグメントを選択し、
前記選択された広告セグメントのフィンガープリントを互いに比較して、
前記選択された広告セグメントのフィンガープリントの比較結果に基づき、同一区間を検出した後、
前記選択された広告セグメントの同一区間と残りの区間を分割することにより行う新規広告セグメント形成過程を含み、
前記新規広告セグメント形成過程は、任意の２つの広告セグメントに対して予め設定された回数だけ繰り返す、
ことを含むことを特徴とする請求項３に記載のフィンガープリントに基づく広告検出方法。
【請求項１４】
前記決定された広告セグメントに対するセグメント情報を広告データベースに保存し、前記広告データベースを管理する前記第６の段階に、前記新規広告セグメントに対するフィンガープリントと時間情報を更新することをさらに含むことを特徴とする請求項１３に記載のフィンガープリントに基づく広告検出方法。
【請求項１５】
前記選択されたテスト区間が前記選択されたリファレンス区間よりも前記一連のコンテンツにおいて最近の時間部分であることを特徴とする請求項３に記載のフィンガープリントに基づく広告検出方法。
【請求項１６】
フィンガープリントに基づく広告検出方法であって、
放送コンテンツをリアルタイムで保存する第１の段階と、
前記保存された放送コンテンツの中でリファレンス区間とテスト区間を選択する第２の段階と、
前記選択されたリファレンス区間とテスト区間に対して少なくとも１つ以上の方式によりフィンガープリントを抽出する第３の段階と、
前記テスト区間に対するフィンガープリントと前記リファレンス区間に対するフィンガープリントを比較してマッチングを行う第４の段階と、
前記マッチング遂行結果に基づいて前記テスト区間から広告セグメントを決める第５の段階と、
前記決定された広告セグメントに対するセグメント情報を広告データベースに保存し、前記広告データベースを管理する第６の段階と、
前記リファレンス区間とテスト区間を変更する第７の段階と、を含み、
前記第７の段階に、さらに、前記テスト区間から決定されたそれぞれの広告セグメントの終点までを前記リファレンス区間に含ませて前記リファレンス区間を変更し、
広告セグメントが複数である場合、最後の広告セグメントの終点までを前記リファレンス区間に含ませて前記リファレンス区間を変更する、ことを含む、
ことを特徴とするフィンガープリントに基づく広告検出方法。
【請求項１７】
前記リファレンス区間に新規に含まれる長さだけ前記リファレンス区間の始点の位置を変更して前記リファレンス区間の全体の長さが一定になるようにすることを特徴とする請求項１６に記載のフィンガープリントに基づく広告検出方法。
【請求項１８】
フィンガープリントに基づく広告検出方法であって、
放送コンテンツをリアルタイムで保存する第１の段階と、
前記保存された放送コンテンツの中でリファレンス区間とテスト区間を選択する第２の段階と、
前記選択されたリファレンス区間とテスト区間に対して少なくとも１つ以上の方式によりフィンガープリントを抽出する第３の段階と、
前記テスト区間に対するフィンガープリントと前記リファレンス区間に対するフィンガープリントを比較してマッチングを行う第４の段階と、
前記マッチング遂行結果に基づいて前記テスト区間から広告セグメントを決める第５の段階と、
前記決定された広告セグメントに対するセグメント情報を広告データベースに保存し、前記広告データベースを管理する第６の段階と、
前記リファレンス区間とテスト区間を変更する第７の段階と、を含み、
前記第６の段階に、さらに、（ｉ）広告データベースに保存された広告セグメントの中で２つの広告セグメントを選択し、（ｉｉ）前記選択された広告セグメントのフィンガープリントを互いに比較して、（ｉｉｉ）同一区間を検出した後、（ｉｖ）前記選択された広告セグメントの同一区間と残りの区間を分割する、ことにより行う新規広告セグメント形成過程を含み、前記新規広告セグメント形成過程は、任意の２つの広告セグメントに対して予め設定された回数だけ繰り返す、
ことを特徴とするフィンガープリントに基づく広告検出方法。
【請求項１９】
前記新規に構成された広告セグメントに対するフィンガープリントと時間情報を更新することをさらに含む請求項１８に記載のフィンガープリントに基づく広告検出方法。